(57)【要約】【課題】グレー反転現象及び色反転現象のうち少なくともいずれか一つを測定することができる液晶表示装置の画質検査装置及び方法を提供する。【解決手段】液晶表示装置の画質検査装置及び方法は、テストパターンを表示する液晶表示装置と、液晶表示装置のテストパターンを撮影する撮像機と、撮像機を通じて撮影されたテストパターンの透過率を測定する測定機と、撮像機の撮影の際液晶表示装置及び撮像機のうち少なくともいずれか一つを回転させる回転手段と、を具備する。【選択図】図１
2007011370.tif 000002
【特許請求の範囲】
【請求項１】
テストパターンを表示する液晶表示装置と、
前記液晶表示装置の前記テストパターンを撮影する撮像機と、
前記撮像機を通じて撮影された前記テストパターンの透過率を測定する測定機と、
前記撮像機の撮影の際前記液晶表示装置及び撮像機のうち少なくともいずれか一つを回転させる回転手段と、
を具備することを特徴とする液晶表示装置の画質検査装置。
【請求項２】
前記液晶表示装置は、（２ｉ−１）〜（２ｊ−１）のグレーレベルのテストパターンを表示することを特徴とする請求項１記載の液晶表示装置の画質検査装置。（ここで、ｉ、ｊは０を含む正の定数）
【請求項３】
前記液晶表示装置は、ホワイト、ブルー、グリーン、レッド、シアン、マゼンタ、イエローのうち少なくともいずれか一つの色のテストパターンを具現することを特徴とする請求項１記載の液晶表示装置の画質検査装置。
【請求項４】
前記撮像機は、ＣＣＤカメラであることを特徴とする請求項１記載の液晶表示装置の画質検査装置。
【請求項５】
前記測定機は、前記液晶表示装置で具現される光の透過率が実際の透過率と異なるように見える視野角を測定することを特徴とする請求項１記載の液晶表示装置の画質検査装置。
【請求項６】
前記測定機は、前記テストパターンのグレー反転及び色反転のうち少なくともいずれか一つが起こる視野角を測定することを特徴とする請求項５記載の液晶表示装置の画質検査装置。
【請求項７】
前記回転手段は、前記撮像機の撮影範囲内で前記液晶表示装置を上又は下方向及び左又は右方向のうち少なくともいずれか一方の方向に回転させることを特徴とする請求項１記載の液晶表示装置の画質検査装置。
【請求項８】
前記液晶表示装置は、
前記テストパターンを具現する液晶表示パネルと、
前記液晶表示パネルのデータラインを駆動するためのデータドライバと、
前記液晶表示パネルのゲートラインを駆動するためのゲートドライバと、を含むことを特徴とする請求項６記載の液晶表示装置の画質検査装置。
【請求項９】
前記色反転及びグレー反転のうち少なくともいずれか一つは、前記液晶表示装置のデータライン及びゲートラインのうち少なくともいずれか一つの信号ラインに駆動信号を供給するパッドが形成された領域の反対側から前記液晶表示パネルの内側に約１／３程度の地点まで起こることを特徴とする請求項８記載の液晶表示装置の画質検査装置。
【請求項１０】
液晶表示装置にテストパターンを表示する段階と、
前記液晶表示装置の周辺を撮像機が回転しながら前記テストパターンを撮影する段階と、
前記撮影されたテストパターンの透過率を測定する段階と、
を有することを特徴とする液晶表示装置の画質検査方法。
【請求項１１】
前記液晶表示装置にテストパターンを表示する段階は、前記液晶表示装置に（２ｉ―１）〜（２ｊ−１）のグレーレベルのテストパターンを表示する段階を含むことを特徴とする請求項１０記載の液晶表示装置の画質検査方法（ここで、ｉ、ｊは０を含む正の定数）。
【請求項１２】
前記液晶表示装置にテストパターンを表示する段階は、前記液晶表示装置にホワイト、ブルー、グリーン、シアン、マゼンタ、イエローのうち少なくともいずれか一つの色のテストパターンを具現する段階を含むことを特徴とする請求項１１記載の液晶表示装置の画質検査方法。
【請求項１３】
前記液晶表示装置周辺を撮像機が回転しながら前記テストパターンを撮影する段階は、前記液晶表示装置周辺を前記撮像機であるＣＣＤカメラが回転しながら前記テストパターンを撮影する段階であることを特徴とする請求項１０記載の液晶表示装置の画質検査方法。
【請求項１４】
前記撮影されたテストパターンの透過率を測定する段階は、前記液晶表示装置で具現される光の透過率が実際の透過率と異なるように見える視野角を測定する段階であることを特徴とする請求項１０記載の液晶表示装置の画質検査方法。
【請求項１５】
前記撮影されたテストパターンの透過率を測定する段階は、前記テストパターンのグレー反転及び色反転のうち少なくともいずれか一つが起こる視野角を測定する段階であることを特徴とする請求項１４記載の液晶表示装置の画質検査方法。
【請求項１６】
液晶表示装置にテストパターンを表示しながら前記液晶表示装置を回転させる段階と、
前記テストパターンを、撮像機を用いて撮影する段階と、
前記撮影されたテストパターンの透過率を測定する段階と、
を有することを特徴とする液晶表示装置の画質検査方法。
【請求項１７】
前記液晶表示装置にテストパターンを表示しながら前記液晶表示装置を回転させる段階は、前記液晶表示装置に（２ｉ―１）〜（２ｊ−１）のグレーレベルのテストパターンを表示する段階を含むことを特徴とする請求項１６記載の液晶表示装置の画質検査方法（ここで、ｉ、ｊは０を含む正の定数）。
【請求項１８】
前記液晶表示装置にテストパターンを表示しながら前記液晶表示装置を回転させる段階は、前記液晶表示装置にホワイト、ブルー、グリーン、シアン、マゼンタ、イエローのうち少なくともいずれか一つの色のパターンを具現する段階を含むことを特徴とする請求項１７記載の液晶表示装置の画質検査方法。
【請求項１９】
前記液晶表示装置にテストパターンを表示しながら前記液晶表示装置を回転させる段階は、前記撮像機の撮影範囲内で前記液晶表示装置を上又は下方向及び左又は右方向のうち少なくとも一方の方向に回転させる段階であることを特徴とする請求項１６記載の液晶表示装置の画質検査方法。
【請求項２０】
前記撮影されたテストパターンの透過率を測定する段階は、前記液晶表示装置で具現される光の透過率が実際の透過率と異なるように見える視野角を測定する段階であることを特徴とする請求項１６記載の液晶表示装置の画質検査方法。
【請求項２１】
前記撮影されたテストパターンの透過率を測定する段階は、前記テストパターンのグレー反転及び色反転のうち少なくともいずれか一つが起こる視野角を測定する段階であることを特徴とする請求項２０記載の液晶表示装置の画質検査方法。
【請求項２２】
少なくとも一つのグレーレベルを有するテストパターンを表示する液晶表示装置と、
前記液晶表示装置の前記テストパターンを撮影する撮像機と、
前記撮像機を通じて撮影された前記テストパターンの透過率が実際の透過率と異なるように見える視野角を測定する測定機と、
前記撮像機の撮影の際前記液晶表示装置及び撮像機のうち少なくともいずれか一つを回転させる回転手段と、
を具備することを特徴とする液晶表示装置の画質検査装置。
【請求項２３】
前記液晶表示装置は、（２ｉ―１）〜（２ｊ−１）のグレーレベルのホワイト、ブルー、グリーン、レッド、シアン、マゼンタ、イエローのうち少なくともいずれか一つの色を具現するテストパターンを表示することを特徴とする請求項２２記載の液晶表示装置の画質検査装置（ここで、ｉ、ｊは０を含む正の定数）。
【請求項２４】
前記測定機は、前記テストパターンのグレー反転及び色反転のうち少なくともいずれか一つが起こる視野角を測定することを特徴とする請求項２３記載の液晶表示装置の画質検査装置。
【請求項２５】
前記回転手段は、前記撮像機の撮影範囲内で前記液晶表示装置を上又は下方向及び左又は右方向のうち少なくともいずれか一方の方向に回転させることを特徴とする請求項２２記載の液晶表示装置の画質検査装置。
【請求項２６】
前記回転手段は、液晶表示装置の撮影範囲内で前記撮像機を回転させることを特徴とする請求項２２記載の液晶表示装置の画質検査装置。
【発明の詳細な説明】
【技術分野】
【０００１】
本発明は、液晶表示装置の画質検査装置及び方法に関し、特に、グレー反転現象及び色反転現象のうち少なくともいずれか一つを測定することができる液晶表示装置の画質検査装置及び方法に関する。
【背景技術】
【０００２】
液晶表示装置は、電界を用いて液晶の光透過率を調節することで画像を表示する。そのための液晶表示装置は、液晶セルがマトリックス形態に配列された液晶表示パネルと、液晶表示パネルを駆動するための駆動回路と、を具備する。
【０００３】
液晶表示パネルは互いに対向する薄膜トランジスタ基板、カラーフィルタ基板、二つの基板の間に注入された液晶、及び二つの基板の間のセルギャップを保持するスペーサを具備する。
【０００４】
薄膜トランジスタ基板は、ゲートライン及びデータライン、そのゲートラインとデータラインの交差部毎にスイッチング素子から形成された薄膜トランジスタ、液晶セル単位で形成され薄膜トランジスタに接続された画素電極、及びその上に塗布された配向膜で構成される。ゲートラインとデータラインはそれぞれのパッド部を通じて駆動回路から信号の供給を受ける。薄膜トランジスタはゲートラインに供給されるスキャン信号に応答してデータラインに供給される画素信号を画素電極に供給する。
【０００５】
カラーフィルタ基板は、液晶セル単位で形成されたカラーフィルタと、カラーフィルタ間の区分及び外部光反射のためのブラックマトリックスと、液晶セルに共通的に基準電圧を供給する共通電極と、それらの上に塗布される配向膜と、で構成される。
【０００６】
従来、液晶表示装置は、画面を上下又は左右に回転させた時、明暗が反転するグレー反転現象と色の反転が起こる色反転現象が頻繁に発生しており、このようなグレー反転現象と色反転現象を測定する明確な方法なしに目で感じ評価されていたという問題点があった。このような背景から、最近はグレー反転現象と色反転現象を測定することができる装置が要求されつつある。
【発明の開示】
【発明が解決しようとする課題】
【０００７】
そこで、本発明は上記従来の問題点に鑑みてなされたものであって、本発明の目的は、グレー反転現象及び色反転現象のうち少なくともいずれか一つを測定することができる液晶表示装置の画質検査装置及び方法を提供することにある。
【課題を解決するための手段】
【０００８】
上記目的を達成するためになされた本発明による液晶表示装置の画質検査装置は、テストパターンを表示する液晶表示装置と、前記液晶表示装置の前記テストパターンを撮影する撮像機と、前記撮像機を通じて撮影された前記テストパターンの透過率を測定する測定機と、前記撮像機の撮影の際前記液晶表示装置及び撮像機のうち少なくともいずれか一つを回転させる回転手段と、を具備することを特徴とする。
【０００９】
ここで、前記液晶表示装置は、（２ｉ−１）〜（２ｊ−１）のグレーレベルのテストパターンを表示することを特徴とする（ここで、ｉ、ｊは０を含む正の定数）。
【００１０】
具体的に、前記液晶表示装置はホワイト、ブルー、グリーン、レッド、シアン、マゼンタ、イエローのうち少なくともいずれか一つの色のテストパターンを具現することを特徴とする。
【００１１】
一方、前記撮像機は、ＣＣＤカメラであることを特徴とする。
【００１２】
一方、前記測定機は、前記液晶表示装置で具現される光の透過率が実際の透過率と異なるように見える視野角を測定することを特徴とする。
【００１３】
具体的に、前記測定機は前記テストパターンのグレー反転及び色反転のうち少なくともいずれか一つが起こる視野角を測定することを特徴とする。
【００１４】
また、前記色反転及びグレー反転のうち少なくともいずれか一つは、前記液晶表示装置のデータライン及びゲートラインのうち少なくともいずれか一つの信号ラインに駆動信号を供給するパッドが形成された領域の反対側から前記液晶表示パネルの内側に約１／３程度の地点まで起こることを特徴とする。
【００１５】
一方、前記回転手段は前記撮像機の撮影範囲内で前記液晶表示装置を上又は下方向及び左又は右方向のうち少なくともいずれか一つの方向に回転させることを特徴とする。
【００１６】
又、上記目的を達成するためになされた本発明による液晶表示装置の画質検査装置は、少なくとも一つのグレーレベルを有するテストパターンを表示する液晶表示装置と、前記液晶表示装置の前記テストパターンを撮影する撮像機と、前記撮像機を通じて撮影された前記テストパターンの透過率が実際の透過率と異なるように見える視野角を測定する測定機と、前記撮像機の撮影の際前記液晶表示装置及び撮像機のうち少なくともいずれか一つを回転させる回転手段と、を具備することを特徴とする。
【００１７】
上記目的を達成するためになされた本発明による液晶表示装置の画質検査方法は、液晶表示装置にテストパターンを表示する段階と、前記液晶表示装置の周辺を撮像機が回転しながら前記テストパターンを撮影する段階と、前記撮影されたテストパターンの透過率を測定する段階と、を有することを特徴とする。
【００１８】
ここで、前記液晶表示装置にテストパターンを表示する段階は、前記液晶表示装置に（２ｉ―１）〜（２ｊ−１）のグレーレベルのテストパターンを表示する段階を含むことを特徴とする。
【００１９】
具体的に、前記液晶表示装置にテストパターンを表示する段階は、前記液晶表示装置にホワイト、ブルー、グリーン、レッド、シアン、マゼンタ、イエローのうち少なくともいずれか一つの色のテストパターンを具現する段階を含むことを特徴とする。
【００２０】
一方、前記液晶表示装置周辺を撮像機が回転しながら前記テストパターンを撮影する段階は、前記液晶表示装置の周辺を前記撮像機であるＣＣＤカメラが回転しながら前記テストパターンを撮影する段階であることを特徴とする。
【００２１】
また、前記撮影されたテストパターンの透過率を測定する段階は、前記液晶表示装置で具現される光の透過率が実際の透過率と異なるように見える視野角を測定する段階であることを特徴とする。
【００２２】
具体的に、前記撮影されたテストパターンの透過率を測定する段階は、前記テストパターンのグレー反転及び色反転のうちいずれか一つが起こる視野角を測定する段階であることを特徴とする。
【００２３】
又、上記目的を達成するためになされた本発明による液晶表示装置の画質検査方法は、液晶表示装置にテストパターンを表示しながら前記液晶表示装置を回転させる段階と、前記テストパターンを、撮像機を用いて撮影する段階と、前記撮影されたテストパターンの透過率を測定する段階と、を有することを特徴とする。
【００２４】
ここで、前記液晶表示装置にテストパターンを表示しながら前記液晶表示装置を回転させる段階は、前記撮像機の撮影範囲内で前記液晶表示装置を上又は下方向及び左又は右方向のうち少なくともいずれか一方の方向に回転させる段階であることを特徴とする。
【発明の効果】
【００２５】
本発明による液晶表示装置の画質検査装置及び方法は、液晶表示装置及び検査カメラのうち少なくともいずれか一つを回転させながら液晶表示装置に具現されるテストパターンのグレー反転及び色反転現象が起こる視野角を検出する。
【００２６】
それにより、本発明による液晶表示装置の画質検査装置及び方法は、グレー反転及び色反転現象が起こる視野角を従来のように肉眼で測定する方法より誤差なく正確に測定することができる。
【００２７】
又、本発明による液晶表示装置の画質検査装置及び方法は、検査カメラ及び回転手段を用いてグレー反転及び色反転現象が起こる視野角を液晶表示装置の特性に従って標準化することができる。
【発明を実施するための最良の形態】
【００２８】
次に、本発明の液晶表示装置の画質検査装置及び方法を実施するための最良の形態の具体例を、図面を参照しながらより詳細に説明する。
【実施例１】
【００２９】
図１は、本発明の実施例１による液晶表示装置の画質測定装置を示すブロック図である。
【００３０】
図１に示すように、本発明による液晶表示装置の画質測定装置は、液晶表示装置１５２、液晶表示装置１５２で具現される画像を撮影する検査カメラ（撮像機）１５４、及び検査カメラ１５４で撮影された画像を判別する測定部（測定機）１６６を具備する。
【００３１】
液晶表示装置１５２は、図２に示すように液晶表示パネル１１０、液晶表示パネル１１０のデータライン（ＤＬ１〜ＤＬｍ）にデータを供給するためのデータドライバ１１４、ゲートライン（ＧＬ１〜ＧＬｎ）にスキャン信号を供給するためのゲートドライバ１１２、及びシステム１０２から供給される同期信号を用いてデータドライバ１１４とゲートドライバ１１２を制御するためのタイミング制御部１０６を具備する。
【００３２】
システム１０２は、グラフィック制御部（図示せず）のＬＶＤＳ（Ｌｏｗ−Ｖｏｌｔａｇｅ  Ｄｉｆｆｅｒｅｎｔｉａｌ  Ｓｉｇｎａｌｉｎｇ）送信機を通じて垂直及び水平同期信号（Ｖ、Ｈ）、クロック信号（ＣＬＫ）、及びデータ（デジタルビデオデータ）（Ｒ、Ｇ、Ｂ）をタイミング制御部１０６に供給する。
【００３３】
タイミング制御部１０６は、システム１０２のグラフィック制御部から入力されるデジタルビデオデータ（ＲＧＢ）を再整列してデータドライバ１１４に供給する。
【００３４】
そして、タイミング制御部１０６は、システム１０２のグラフィック制御部から入力される垂直及び水平同期信号（Ｖ、Ｈ）とクロック信号（ＣＬＫ）を用いてゲートドライバ１１２を制御するためのゲート制御信号（ＧＣＳ）と、データドライバ１１４を制御するためのデータ制御信号（ＤＣＳ）を発生する。
【００３５】
ゲートドライバ１１２を制御するためのゲート制御信号（ＧＣＳ）には、ゲートスタートパルス（Ｇａｔｅ  Ｓｔａｒｔ  Ｐｕｌｓｅ：ＧＳＰ）、ゲートシフトクロック（Ｇａｔｅ  Ｓｈｉｆｔ  Ｃｌｏｃｋ：ＧＳＣ）、ゲート出力信号（ＧＯＥ）などが含まれる。データドライバ１１４を制御するためのデータ制御信号（ＤＣＳ）には、ソーススタートパルス（ＳＳＰ）、ソースシフトクロック（Ｓｏｕｒｃｅ  Ｓｈｉｆｔ  Ｃｌｏｃｋ：ＳＳＣ）、ソース出力信号（Ｓｏｕｒｃｅ  Ｏｕｔｐｕｔ  Ｅｎａｂｌｅ：ＳＯＥ）、及び極性信号（ＰＯＬ）などが含まれる。
【００３６】
データドライバ１１４は、タイミング制御部１０６からのデータ制御信号（ＤＣＳ）に応答してデジタルビデオデータ（Ｒ、Ｇ、Ｂ）をグレー値に対応するアナログガンマ電圧に変換し、そのアナログガンマ電圧をデータライン（ＤＬ１〜ＤＬｍ）に供給する。
【００３７】
ガンマ電圧発生部１０４は、アナログ形態のデータ信号を生成することができる様にデータドライバ１１４に複数からなる正極性ガンマ電圧及び負極性ガンマ電圧を供給する。
【００３８】
ゲートドライバ１１２は、タイミング制御部１０６からのゲート制御信号（ＧＣＳ）に応答してスキャンパルスをゲートライン（ＧＬ１〜ＧＬｎ）に順次に供給する。それにより、ゲートドライバ１１２は、ゲートライン（ＧＬ１〜ＧＬｎ）に接続された薄膜トランジスタ（ＴＦＴ）をゲートライン（ＧＬ）単位に駆動する。
【００３９】
液晶表示パネル１１０は、データライン（ＤＬ１〜ＤＬｍ）及びゲートライン（ＧＬ１〜ＧＬｎ）の交差部にマトリックス形態に複数個の液晶セル（Ｃｌｃ）を具備する。液晶セル（Ｃｌｃ）にそれぞれ形成されたＴＦＴは、ゲートライン（ＧＬ）から供給されるスキャン信号に応答してデータライン（ＤＬ１〜ＤＬｍ）から供給されるデータ信号を液晶セル（Ｃｌｃ）に供給する。また、液晶セル（Ｃｌｃ）それぞれにはストレージキャパシタ（Ｃｓｔ）が形成される。ストレージキャパシタ（Ｃｓｔ）は、液晶セル（Ｃｌｃ）の画素電極と前段ゲートラインとの間に形成されるか、液晶セル（Ｃｌｃ）の画素電極とストレージとの間に形成され、液晶セル（Ｃｌｃ）に充電された電圧を一定に保持する。
【００４０】
このような液晶表示パネル１１０にはテストパターンが表示される。テストパターンは、（２ｉ―１）〜（２ｊ−１）のグレーレベルのホワイト、ブルー、グリーン、レッド、シアン、マゼンタ、イエローのうち少なくともいずれか一つの色を表示する。ここで、ｉ、ｊは０を含む正の定数である。例えば、テストパターンは、６ビットのデータドライバ１１４を用いる場合０〜６３までのグレーレベルを表現し、８ビットのデータドライバ１１４を用いる場合０〜２５５までのグレーレベルを表現する。
【００４１】
このために、テストパターンは、液晶表示パネル１１０をグレーレベル数分だけ領域を分けて各領域に互いに異なるグレーレベルを表現する。この際、テストパターンは図３に示すようにカラーフィルタ基板１１８によって露出され薄膜トランジスタ基板１１６上に形成されたパッド１２０に近づくほど０グレーからＫグレーへとグレーレベルが高くなる。ここで、パッド１２０は、ゲートドライバ１１２及びデータドライバ１１４のうち少なくともいずれか一つと接続され、薄膜トランジスタ基板１１６上に含まれた信号ラインに駆動信号を供給する。
【００４２】
検査カメラ１５４は液晶表示パネル１１０に具現されるテストパターンを撮影する。この検査カメラ１５４は、例えば、ＣＣＤ（Ｃｈａｒｇｅ−Ｃｏｕｐｌｅｄ  Ｄｅｖｉｃｅ）カメラである。
【００４３】
この検査カメラ１５４は、図４に示すようにガイド部１６０に沿って回転しながら固定部１４８に固定されている液晶表示装置１５２で具現されるテストパターンを撮影する。ガイド部１６０は、ガイド溝１５６と、ガイド溝１５６を備えるように形成されたガイドライン１５８を具備する。このガイド溝１５６は、検査カメラ１５４を回転移動させるため、図５に示すように検査カメラ１５４と連結された回転手段、例えば、ローラー１６２の移動経路の役割をする。
【００４４】
これとは反対に、検査カメラ１５４を図６に示すように固定されたままにし、液晶表示装置１５２を回転させることができる。液晶表示装置１５２は上下或いは左右に回転するようになり、このようにして、検査カメラ１５４は回転する液晶表示装置１５２で具現されるテストパターンを撮影する。このような液晶表示装置１５２は、例えば、コンベヤーベルト１４６に安着され、コンベヤーベルト１４６の進行方向に沿って回転する。コンベヤーベルト１４６に安着された液晶表示装置１５２の落下を防止するために防止段１４４がコンベヤーベルト１４６の両端に位置する。一方、検査カメラ１５４または液晶表示装置１５２を回転させるための回転手段は、ローラー１６２やコンベヤーベルト１４６に局限されることはない。
【００４５】
アナログデジタル変換器（ＡＤＣ）１６４は検査カメラ１５４から供給されるテストパターンのアナログ電圧値をデジタル電圧値に変換して測定部１６６に供給する。
【００４６】
測定部１６６は、アナログデジタル変換器１６４を通じて変換されたデジタル値のデータパターンを分析してグレー反転現象及び色反転現象のうち少なくともいずれか一方の現象が起こる上側視野角（θＵ）または下側視野角（θＤ）を測定する。
【００４７】
このように、本発明の実施例１による表示装置の画質検査装置は、検査カメラ及び回転手段を用いて液晶表示装置に具現されるテストパターンのグレー反転及び色反転現象が起こる視野角を検出する。これにより、本発明による表示装置の画質検査装置は、グレー反転及び色反転現象が起こる視野角を従来のように肉眼で測定する方法より誤差なく正確に測定することができる。また、本発明による表示装置の画質検査装置は、液晶表示装置の特性によってグレー反転及び色反転現象が起こる視野角を標準化することができる。
【００４８】
図７は、本発明による液晶表示装置の画質検査方法を詳細に示す流れ図である。
【００４９】
まず、液晶表示装置の表示面にテストパターンを具現する（Ｓ１段階）。テストパターンは、例えば、６ビットのデータドライバ１１４を用いる場合０〜６３までのグレーレベルを表現し、８ビットのデータドライバ１１４を用いる場合０〜２５５までのグレーレベルを表現する。
【００５０】
液晶表示装置に具現されるテストパターンを検査カメラ１５４、例えば、ＣＣＤカメラで撮影する（Ｓ２段階）。撮影の際、検査カメラまたは液晶表示装置が回転する。
【００５１】
検査カメラによって撮影されたテストパターンのアナログ電圧値はデジタル値に変換され測定部１６６に供給される。測定部１６６は、入力されたデジタル値のテストパターンを分析してグレー反転現象及び色反転現象のうちいずれか一方の現象が起こる角度を測定する（Ｓ３、Ｓ４段階）。
【００５２】
このような検査過程によってグレー反転及び色反転のうち少なくともいずれか一方の現象は、図３に示すようにパッド１２０の反対側から液晶表示パネルの内側に約１／３程度の地点まで起こることがわかる。この際。グレー反転及び色反転現象が起こる上側視野角（θＵ）は、測定部１６６による測定結果、視野角補償偏光板を用いる場合約３０°地点、一般の偏光板を用いる場合約１５°地点である。
【００５３】
これを図８及び図９を参照して具体的に説明する。図８は、４．６μｍのセルギャップ、３．４Ｖの画素電圧でブラックを表示、視野角補償用偏光板を用いる液晶表示装置のテストパターンを分析した結果である。図８に示すように液晶表示パネルに０〜６３までのグレーレベルのホワイト（ブルー、レッド、グリーン）テストパターンを具現すると、約３０°以上の上側視野角でグレー反転及び色反転が起こることがわかる。
【００５４】
図９は、４．６μｍのセルギャップ、３．４Ｖの画素電圧でブラックを表示、一般偏光板を用いる液晶表示装置のテストパターンを分析した結果である。図９に示すように液晶表示パネルに０〜６３までのグレーレベルのホワイト（ブルー、レッド、グリーン）テストパターンを具現すると、約１５°以上の上側視野角でグレー反転及び色反転が起こることがわかる。
【００５５】
以下の表１乃至表４にグレーインバージョンを計算したシミュレーション結果を示す。これを説明するに先立て、人の視覚的特性を考慮したガンマ修正に対して説明する。関連液晶表示装置はグレー電圧に対する透過率が非線形特性を有する。この場合、グレー別透過率または画面の明るさが一定の間隔を保持せずブラックとホワイトグレーの方に偏って分布するので中間グレーを表現することは難しい。それにより、グレー電圧を非等間隔で適切に設定してガンマ特性の直線性を確保するようにする。しかし、図１０に示すように、液晶表示装置のガンマ値が１．０であるとすると、人の視覚で見るときはグレー別明るさの変化が直線性を有しないと感じる。これは人の視感覚特性が照度計のように明るさに比例する線形特性を有しないからであり、ガンマ補正が行われるべきである。従って、液晶特性と人の視覚認知特性を考慮するとき、液晶表示素子において最適の視野角と輝度を得ることができるガンマ値は２．２〜２．６である。補正されたガンマ値を得ることができるようにグレー表現のための液晶電圧は、図１１に示すように再配置され調整されなければならい。しかし、補正されたガンマ値とマッチングされる中間グレーの電圧及び透過率を見付けることは難しいのである。また、シミュレーションを通じて中間グレーの電圧を見付けることはできないが、中間グレー付近の電圧と透過率は表１〜表４のようにシミュレーションを通じて得ることができる。
【００５６】
４．５μｍのセルギャップを有し視野角補償用偏光板を用いる液晶表示装置の場合
【表１】
2007011370.tif 000003
表１のように３．４Ｖ電圧でブラックを表示する液晶表示パネル１１０に０〜６３のグレーレベルのホワイトパターンを具現すると、１８〜２６°の視野角では１２〜２１グレーを具現する領域までグレー反転が起こる。上記同一条件の液晶表示パネル１１０に０〜６３のグレーレベルのブルーテストパターンを具現すると、２０〜２６°の視野角では１２〜２１グレーを具現する領域まで色反転が起こる。前記同一の条件の液晶表示パネル１１０に０〜６３までのグレーレベルのグリーン（レッド）テストパターンを具現すると、１８〜２６°の視野角では１２〜２１グレーを具現する領域まで色反転が起こる。
【００５７】
４．６μｍのセルギャップを有し視野角補償用偏光板を用いる液晶表示装置の場合
【表２】
2007011370.tif 000004
表２のように３．４Ｖ電圧でブラックを表示する液晶表示パネル１１０に０〜６３のグレーレベルのホワイトパターンを具現すると、１８〜２６°の視野角では１２〜２１グレーを具現する領域までグレー反転が起こる。上記同一条件の液晶表示パネル１１０に０〜６３のグレーレベルのブルーテストパターンを具現すると、２０〜２６°の視野角では１２〜２１グレーを具現する領域まで色反転が起こる。上記同一条件の液晶表示パネル１１０に０〜６３までのグレーレベルのグリーン（レッド）テストパターンを具現すると、１８〜２６°の視野角では１２〜２１グレーを具現する領域まで色反転が起こる。
【００５８】
４．７μｍのセルギャップを有し視野角補償用偏光板を用いる液晶表示装置の場合
【表３】
2007011370.tif 000005
表３のように３．４Ｖの電圧でブラックを表示する液晶表示パネル１１０に０〜６３のグレーレベルのホワイトパターンを具現すると、１８〜２６°の視野角では１２〜２１グレーを具現する領域までグレー反転が起こる。上記同一条件の液晶表示パネル１１０に０〜６３のグレーレベルのブルーテストパターンを具現すると、１８〜２６°の視野角では１２〜２１グレーを具現する領域まで色反転が起こる。上記同一条件の液晶表示パネル１１０に０〜６３までのグレーレベルのグリーン（レッド）テストパターンを具現すると、１８〜２６°の視野角では１２〜２１グレーを具現する領域まで色反転が起こる。
【００５９】
４．６μｍのセルギャップを有し一般の偏光板を用いた液晶表示装置の場合
【表４】
2007011370.tif 000006
表４のように３．４Ｖ電圧でブラックを表示する液晶表示パネル１１０に０〜６３のグレーレベルのホワイトパターンを具現すると、８〜１６°の視野角では１２〜２１グレーを具現する領域までグレー反転が起こる。上記同一条件の液晶表示パネル１１０に０〜６３のグレーレベルのブルー（グリーン、レッド）テストパターンを具現すると、８〜１６°の視野角では１２〜２１グレーを具現する領域まで色反転が起こる。
【００６０】
このように、表１乃至表４に示されたシミュレーション結果値と本発明の画質検査装置及び方法を用いて測定した値は類似することがわかる。
【実施例２】
【００６１】
図１２は、本発明の実施例２による液晶表示装置の画質検査装置を用いた表示パネルを示す図面である。
【００６２】
図１２に示す表示パネルに適用される液晶表示装置の画質検査装置は、図１に示した液晶表示装置の画質検査装置と対比して液晶表示パネルに表示されるテストパターンが任意に二つのグレーレベルを選択して具現することを除いては同一の構成要素を具備する。それにより、構成要素に対する詳細な説明は省略する。
【００６３】
本発明の実施例２による液晶表示パネル１１０には、テストパターンが表示されている。テストパターンは少なくとも二つのグレーレベルのホワイト、レッド、ブルー、グリーン、シアン（Ｃｙａｎ）、マゼンタ（Ｍａｇｅｎｔａ）、イエローのうち少なくともいずれか一つの色を表示する。
【００６４】
例えば、テストパターンは６ビットのデータドライバ１１４を用いる場合６３グレーレベルと６０グレーレベルを表現する。そのために、テストパターンは画質検査の際、液晶表示パネル１１０を少なくとも二つのグレーレベルを表現するように少なくとも二つの領域に分ける。この際、テストパターンは、色反転またはグレー反転が主に起こる場合をグレーレベルとして選択する。
【００６５】
このようなテストパターンは検査カメラ１５４、例えば、ＣＣＤカメラで撮影する。撮影の際、検査カメラまたは液晶表示装置を回転させる。
【００６６】
検査カメラによって撮影されたテストパターンのアナログ電圧値はデジタル値に変換され測定部１６６に供給される。測定部１６６は、入力されたデジタル値のテストパターンを分析してグレー反転現象及び色反転現象のうち少なくともいずれか一つの現象が起こる角度を測定する。
【００６７】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００６８】
【図１】本発明の実施例１による液晶表示装置の画質検査装置を示すブロック図である。
【図２】図１に示す液晶表示装置を示すブロック図である。
【図３】図２に示す液晶表示パネルを詳細に示す図面である。
【図４】図１に示す液晶表示装置が固定され検査カメラを回転させる状態を説明するための斜視図である。
【図５】図４に示す検査カメラが連結された回転手段とガイド部を詳細に示す斜視図である。
【図６】図１に示す検査カメラが固定され液晶表示装置を回転させる状態を説明するための斜視図である。
【図７】本発明による液晶表示装置の画質検査方法を説明するための流れ図である。
【図８】４．６μｍのセルギャップ、３．４Ｖの画素電圧でブラックを表示、視野角補償用偏光板を用いる液晶表示装置のテストパターンを図１に示す検査装置を用いて分析した結果である。
【図９】４．６μｍのセルギャップ、３．４Ｖの画素電圧でブラックを表示、一般偏光板を用いる液晶表示装置のテストパターンを図１に示す検査装置を用いて分析した結果である。
【図１０】液晶表示装置のグレー対比透過率を示すグラフである。
【図１１】液晶表示装置の液晶電圧対比透過率を示すグラフである。
【図１２】本発明の実施例２による液晶表示装置の画質検査装置を用いた表示パネルを示す図面である。
【符号の説明】
【００６９】
１０２    システム
１０４    ガンマ電圧発生部
１０６    タイミング制御部
１１０    液晶表示パネル
１１２    ゲートドライバ
１１４    データドライバ
１１６    薄膜トランジスタ基板
１１８    カラーフィルタ基板
１２０    パッド
１４４    防止段
１４６    コンベヤーベルト
１４８    固定部
１５２    液晶表示装置
１５４    検査カメラ（撮像機）
１５６    ガイド溝
１５８    ガイドライン
１６０    ガイド部
１６２    ローラー（回転手段）
１６４    アナログデジタル変換器
１６６    測定部（測定機）
【図１】
2007011370.tif 000007
【図２】
2007011370.tif 000008
【図４】
2007011370.tif 000009
【図５】
2007011370.tif 000010
【図６】
2007011370.tif 000011
【図７】
2007011370.tif 000012
【図１０】
2007011370.tif 000013
【図１１】
2007011370.tif 000014
【図３】
2007011370.tif 000015
【図８】
2007011370.tif 000016
【図９】
2007011370.tif 000017
【図１２】
2007011370.tif 000018